【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
図書ごとに識別された図書識別データと該図書の頁数データとをデータ項目として少なくとも有する既存の図書情報データベースに基づき、新たなデータ項目を演算する図書情報データベース処理システムであって、
前記既存の図書情報データベースが有する少なくとも図書ごとの図書識別データと頁数データとを取得する取得部と、該取得部が取得した頁数データに基づき図書厚さ寸法を演算する演算部と、前記図書識別データと該図書識別データに対応づけて前記演算部で演算された図書厚さ寸法データとを出力する出力部と、を備えたことを特徴とする図書情報データベース処理システム。
【請求項２】
前記既存の図書情報データベースは、図書ごとの図書種別データをデータ項目として更に有し、
前記演算部は、図書ごとに前記図書種別データに基づき予め設定された図書の構成紙あたりの紙厚さ寸法データを選定し、該紙厚さ寸法データと頁数データとに基づき図書厚さ寸法を演算することを特徴とする請求項１に記載の図書情報データベース処理システム。
【請求項３】
前記既存の図書情報データベースは、図書ごとの図書種別データをデータ項目として更に有し、
前記演算部は、図書ごとに前記図書種別データに基づき予め設定された装丁厚さ寸法データを選定し、該装丁厚さ寸法データと頁数データとに基づき図書厚さ寸法を演算することを特徴とする請求項１または２に記載の図書情報データベース処理システム。
【請求項４】
各図書と各コンテナとを対応付けて図書を保管管理する管理装置の指令に基づき、書庫に収容されている複数の図書が収納された複数のコンテナの中から、所定のコンテナを取り出してステーションに搬送するとともに、図書の貸出若しくは返却作業後に、前記ステーションより前記書庫にコンテナを搬送する図書保管管理システムであって、
前記管理装置は、図書の返却作業時に、要返却図書の前記図書識別データに対応づけられた前記図書厚さ寸法データと、各コンテナに収納された各図書の前記図書識別データに対応づけられた前記図書厚さ寸法データとに基づき、前記要返却図書を収納可能なコンテナの空きスペースを有するコンテナを特定し、該特定したコンテナを前記書庫から前記ステーションに搬入指令することを特徴とする請求項１ないし３のいずれかに記載の図書情報データベース処理システムを用いた図書保管管理システム。
【請求項５】
前記管理装置は、前記図書情報データベース処理システムの前記出力部が出力した、前記図書識別データと該図書識別データに対応づけて前記演算部で演算された図書厚さ寸法データとをデータ項目として少なくとも有する図書厚さ情報データベースと、各コンテナ識別データと該コンテナ識別データに対応づけて該コンテナに収納された各図書の前記図書識別データとをデータ項目として少なくとも有するコンテナ情報データベースと、を用いて、各図書と各コンテナとを対応付けて図書を保管管理することを特徴とする請求項４に記載の図書保管管理システム。
【請求項６】
前記管理装置は、コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の貸出作業後に、前記コンテナ情報データベースに記憶されている貸出された図書が収納されていたコンテナの空きスペース寸法に該貸出された図書の図書厚さ寸法を加算した寸法を、該コンテナの新たな空きスペース寸法データとして前記コンテナ情報データベースに更新記憶させることを特徴とする請求項５に記載の図書保管管理システム。
【請求項７】
前記管理装置は、コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の返却作業時に、前記図書厚さ情報データベースが有する前記図書識別データに対応づけた要返却図書ごとの前記図書厚さ寸法データに基づき、要返却図書の総厚さ寸法を演算し、前記コンテナ情報データベースの中から前記要返却図書の総厚さ寸法を収納可能な前記空きスペース寸法データを有するコンテナを特定し、該コンテナを前記特定したコンテナとして前記書庫から前記ステーションに搬入指令し、
前記管理装置は、図書の返却作業後に、前記コンテナ情報データベースに記憶されている該コンテナの前記空きスペース寸法から前記要返却図書の総厚さ寸法を減算した寸法を、該コンテナの新たな空きスペース寸法データとして前記コンテナ情報データベースに更新記憶させることを特徴とする請求項５または６に記載の図書保管管理システム。
【手続補正２】
【補正対象書類名】明細書
【補正対象項目名】０００７
【補正方法】変更
【補正の内容】
【０００７】
前記課題を解決するために、本発明の図書情報データベース処理システムは、
図書ごとに識別された図書識別データと該図書の頁数データとをデータ項目として少なくとも有する既存の図書情報データベースに基づき、新たなデータ項目を演算する図書情報データベース処理システムであって、
前記既存の図書情報データベースが有する少なくとも図書ごとの図書識別データと頁数データとを取得する取得部と、該取得部が取得した頁数データに基づき図書厚さ寸法を演算する演算部と、前記図書識別データと該図書識別データに対応づけて前記演算部で演算された図書厚さ寸法データとを出力する出力部と、を備えたことを特徴としている。
この特徴によれば、既存の図書情報データベースを利用して、演算部が、取得部が取得した頁数データに基づき図書厚さ寸法を演算することで、図書識別データに対応付けた図書厚さ寸法データを容易に得ることができるため、図書厚さ寸法データを用いて拡張性を高めた図書の管理が可能となる。
【手続補正３】
【補正対象書類名】明細書
【補正対象項目名】０００８
【補正方法】変更
【補正の内容】
【０００８】
本発明の図書情報データベース処理システムは、
前記既存の図書情報データベースは、図書ごとの図書種別データをデータ項目として更に有し、
前記演算部は、図書ごとに前記図書種別データに基づき予め設定された図書の構成紙あたりの紙厚さ寸法データを選定し、該紙厚さ寸法データと頁数データとに基づき図書厚さ寸法を演算することを特徴としている。
この特徴によれば、演算部が、図書の高さ寸法に基づき予め設定された図書の構成紙あたりの紙厚さ寸法と、頁数とに基づき、図書厚さ寸法を演算することで、各図書の厚さ寸法をより正確に演算できる。
【手続補正４】
【補正対象書類名】明細書
【補正対象項目名】０００９
【補正方法】変更
【補正の内容】
【０００９】
本発明の図書情報データベース処理システムは、
前記既存の図書情報データベースは、図書ごとの図書種別データをデータ項目として更に有し、
前記演算部は、図書ごとに前記図書種別データに基づき予め設定された装丁厚さ寸法データを選定し、該装丁厚さ寸法データと頁数データとに基づき図書厚さ寸法を演算することを特徴としている。
この特徴によれば、演算部が、図書の高さ寸法に基づき予め設定された装丁厚さ寸法と、頁数とに基づき、図書厚さ寸法を演算することで、各図書の厚さ寸法をより正確に演算できる。
【手続補正５】
【補正対象書類名】明細書
【補正対象項目名】００１０
【補正方法】変更
【補正の内容】
【００１０】
各図書と各コンテナとを対応付けて図書を保管管理する管理装置の指令に基づき、書庫に収容されている複数の図書が収納された複数のコンテナの中から、所定のコンテナを取り出してステーションに搬送するとともに、図書の貸出若しくは返却作業後に、前記ステーションより前記書庫にコンテナを搬送する図書保管管理システムであって、
前記管理装置は、図書の返却作業時に、要返却図書の前記図書識別データに対応づけられた前記図書厚さ寸法データと、各コンテナに収納された各図書の前記図書識別データに対応づけられた前記図書厚さ寸法データとに基づき、前記要返却図書を収納可能なコンテナの空きスペースを有するコンテナを特定し、該特定したコンテナを前記書庫から前記ステーションに搬入指令することを特徴としている。
この特徴によれば、管理装置は、図書の返却作業時に、要返却図書の前記図書識別データに対応づけられた前記図書厚さ寸法データと、各コンテナに収納された各図書の前記図書識別データに対応づけられた前記図書厚さ寸法データとに基づき、前記要返却図書を収納可能なコンテナの空きスペースを有するコンテナを特定し、該特定したコンテナを前記書庫から前記ステーションに搬入指令することができるので、各コンテナ内に収納された図書及びそのコンテナの空きスペースを管理できることになる。
また、前記管理装置は、前記図書情報データベース処理システムの前記出力部が出力した、前記図書識別データと該図書識別データに対応づけて前記演算部で演算された図書厚さ寸法データとをデータ項目として少なくとも有する図書厚さ情報データベースと、各コンテナ識別データと該コンテナ識別データに対応づけて該コンテナに収納された各図書の前記図書識別データとをデータ項目として少なくとも有するコンテナ情報データベースと、を用いて、各図書と各コンテナとを対応付けて図書を保管管理することを特徴としている。
この特徴によれば、管理装置が、図書識別データに対応づけた図書厚さ寸法データを有する図書厚さ情報データベースと、コンテナ識別データに対応づけたコンテナに収納された各図書の図書識別データを有するコンテナ情報データベースと、を用いることで、各コンテナ内に収納された図書及びそのコンテナの空きスペースを管理できることになる。
【手続補正６】
【補正対象書類名】明細書
【補正対象項目名】００１１
【補正方法】変更
【補正の内容】
【００１１】
本発明の図書情報データベース処理システムを用いた図書保管管理システムは、
前記管理装置は、コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の貸出作業後に、前記コンテナ情報データベースに記憶されている貸出された図書が収納されていたコンテナの空きスペース寸法に該貸出された図書の図書厚さ寸法を加算した寸法を、該コンテナの新たな空きスペース寸法データとして前記コンテナ情報データベースに更新記憶させることを特徴としている。
この特徴によれば、管理装置が、図書の貸出作業後に、貸出された図書が収納されていたコンテナが有していた空きスペース寸法に図書厚さ寸法を加算した寸法を、このコンテナの新たな空きスペース寸法データとしてコンテナ情報データベースに更新記憶させることで、図書の貸出後におけるコンテナの空きスペース寸法を得て、貸出後においても各図書を各コンテナに正確に収納管理できる。
【手続補正７】
【補正対象書類名】明細書
【補正対象項目名】００１２
【補正方法】変更
【補正の内容】
【００１２】
本発明の図書情報データベース処理システムを用いた図書保管管理システムは、
前記管理装置は、コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の返却作業時に、前記図書厚さ情報データベースが有する前記図書識別データに対応づけた要返却図書ごとの前記図書厚さ寸法データに基づき、要返却図書の総厚さ寸法を演算し、前記コンテナ情報データベースの中から前記要返却図書の総厚さ寸法を収納可能な前記空きスペース寸法データを有するコンテナを特定し、該コンテナを前記特定したコンテナとして前記書庫から前記ステーションに搬入指令し、
前記管理装置は、図書の返却作業後に、前記コンテナ情報データベースに記憶されている該コンテナの前記空きスペース寸法から前記要返却図書の総厚さ寸法を減算した寸法を、該コンテナの新たな空きスペース寸法データとして前記コンテナ情報データベースに更新記憶させることを特徴としている。
この特徴によれば、管理装置が、図書の厚さ寸法の実測を要さずに図書厚さ情報データベースから図書の厚さ寸法を得ることができ、要返却図書の総厚さを収納可能な空きスペース寸法を有するコンテナをステーションに搬入させることで、ステーションの図書を容易且つ確実に書庫に返却できるばかりか、図書の返却作業後におけるコンテナの空きスペース寸法を得て、返却後においても各図書を各コンテナに正確に収納管理できる。